(57)【要約】【課題】排気のドレンパン側への逆流を防止し、排気と排水を共用ダクトで行える気液排出装置及びこれを備えた空気調和機を提供する。【解決手段】空気調和機の室内機１の内部に、排気路１０の一部を構成する排気部１４と、ドレンパン７からのドレン水を排気部１４に合流させる開口部２０とを備えた合流ボックス９を設け、ドレンホースと室内空気の排気ホースとを１本化させる。また、ドレン水を回転体２１により強制的に排気部１７側へ送り出し、屋外や排気ファンの逆圧が加わっても、回転体収容部１２から室内側ヘ空気が漏れるのを防止する。【選択図】　図４
2004028467.tif 000002
【特許請求の範囲】
【請求項１】
排気用空気等の気体とドレン水等の液体とを共通の通路を介して排出する気液排出装置において、
前記排気用空気等の気体の排気を行う専用のファンと、ドレン水等の液体を排出する回転体とを備えてなることを特徴とする気液排出装置。
【請求項２】
排気用空気等の気体とドレン水等の液体とを共通の通路を介して排出する気液排出装置において、
ドレン水等の液体を排出する回転体が設けられ、該回転体は、ドレン水等の液体を一時的に貯留しつつ搬送する手段が設けられたことを特徴とする気液排出装置。
【請求項３】
排気用空気等の気体とドレン水等の液体とを共通の通路を介して排出する気液排出装置において、
排気用空気等の気体を排気する排気路の一部を構成する排気部と、ドレン水等の液体を前記排気部に合流させる開口部とを備えた合流ボックスが設けられ、該合流ボックスに前記回転体が設けられたことを特徴とする請求項１又は２に記載の気液排出装置。
【請求項４】
前記回転体の周面に、ドレン水を一時的に貯留しつつ搬送する複数の搬送部が凹設されたことを特徴とする請求項２に記載の気液排出装置。
【請求項５】
前記回転体の周面のうち、複数の搬送部間の大きさは、前記開口部を閉塞する大きさに設定されたことを特徴とする請求項４に記載の気液排出装置。
【請求項６】
前記回転体の周面と、これを収容する合流ボックスの収容部内面との間隙が、前記排気部からの空気が逆流しない程度の寸法に設定されたことを特徴とする請求項３〜５のいずれかに記載の空気調和機。
【請求項７】
前記回転体が駆動源により回転駆動されることを特徴とする請求項１〜６のいずれかに記載の気液排出装置。
【請求項８】
前記回転体は、一方向回転、又は正転及び逆転の組合せにより駆動されることを特徴とする請求項７に記載の気液排出装置。
【請求項９】
前記回転体の回転方向を一定時間毎に変更して駆動することを特徴とする請求項８に記載の気液排出装置。
【請求項１０】
室内熱交換器と、該室内熱交換器に発生するドレン水と室内の排気用空気を共通の通路を介して排出する気液排出装置とを備えた空気調和機において、
前記気液排出装置は、室内の排気用空気を室外に排出する専用のファンと、前記ドレン水を排出する回転体とを備えてなることを特徴とする空気調和機。
【請求項１１】
室内熱交換器と、該室内熱交換器に発生するドレン水と室内の排気用空気を共通の通路を介して排出する気液排出装置とを備えた空気調和機において、
前記気液排出装置に、ドレン水等の液体を排出する回転体が設けられ、該回転体は、ドレン水等の液体を一時的に貯留しつつ搬送する手段が設けられたことを特徴とする空気調和機。
【請求項１２】
前記回転体は、その回転方向を一定時間毎に変更して駆動することを特徴とする請求項１０又は１１に記載の空気調和機。
【発明の詳細な説明】
【０００１】
【発明の属する技術分野】
本発明は、排気用空気等の気体とドレン水等の液体とを共通の通路を介して排出する気液排出装置及びこれを備えた空気調和機に関するものである。
【０００２】
【従来の技術】
従来、この種の気液排出装置を備えた空気調和機として、実公平７−３７０７２号公報記載のものが知られている。この空気調和機は、ドレンパンの一側端面に隣接して排気ダクトが形成され、この排気ダクトの一側面に開口が形成されている。室内空気を吸込んで室内に循環する室内送風ファンによる風の流れの一部を、排気ダクトの開口部に導き、この開口部に導いた風を排気ダクトを通して室外へ排出させるようにしている。また、ドレンパンと排気ダクトの隣接部分に穴が開いており、ドレン水は、この穴から排気ダクトを通り、室外へ排出される構造となっている。
【０００３】
【発明が解決しようとする課題】
ところで、上記の空気調和機では、室外への排気の一部がドレンパン側に逆流し、室内側に逆戻りするおそれがある。ドレン水が溜まっている状況で、上記排気の逆流が起こると、ドレン水の泡立ちによる不快な音や漏水が発生するおそれがある。
【０００４】
また、室内の空気を排出するためのファンは、室内ファンと兼用としているために、屋外への通路抵抗とファンの能力によって空気の排気量が減少し、十分な換気を行うことができないといった問題があった。
【０００５】
本発明は、上記に鑑み、排気がドレンパン側に逆流するのを防止し、排気と排水を共用のダクトで行える気液排出装置及びこれを備えた空気調和機の提供を目的とする。
【０００６】
【課題を解決するための手段】
上記目的を達成するため、本発明は、排気用空気等の気体とドレン水等の液体とを共通の通路を介して排出する気液排出装置において、前記排気用空気等の気体の排気を行う専用のファンと、ドレン水等の液体を排出する回転体とを備えてなることを特徴としている。
【０００７】
上記構成によると、専用のファンを設けているので、従来のように、空気調和機の室内ファンと兼用のファンとする場合に比べて、排気の空気量が減少することなく、十分な換気を行うことができる。また、ドレン水等の液体を回転体により強制的に排出するので、屋外や専用の排気ファンから逆圧が加わっても室内側に空気が漏れることがない。
【０００８】
また、本発明においては、ドレン水等の液体を排出する回転体が設けられ、該回転体は、ドレン水等の液体を一時的に貯留しつつ搬送する手段が設けられたことを特徴としている。この構成によると、搬送手段によりドレン水等の液体を確実に排気側に送り出すことができる。
【０００９】
さらに、本発明においては、排気用空気等の気体を排気する排気路の一部を構成する排気部と、ドレン水等の液体を前記排気部に合流させる開口部とを備えた合流ボックスが設けられ、該合流ボックスに前記回転体が設けられたことを特徴としている。
【００１０】
上記構成によると、ドレン水等の液体を排気部に合流させる開口部を備えた合流ボックスを設けているので、排水ホースと排気ホースとを１本化させることができ、同じホース径に対して、壁穴を小さくでき、小さな壁穴条件でも設置が可能となり、工事性の向上が図れる。しかも、回転体により、ドレン水等の液体を強制的に排出するので、屋外や専用の排気ファンから逆圧が加わっても室内側に空気が漏れることがない。
【００１１】
回転体は、ドレン水を排気部側に送り出す機能を有するものであれば、軸方向に送り出す方式あるいは周面に沿って送り出す方式のいずれをも採用することができる。回転体の周面に沿ってドレン水を送り出す方式として、回転体の周面に、ドレン水を一時的に貯留しつつ搬送する複数の搬送部が凹設された構成が例示できる。この構成によれば、搬送部により確実にドレン水を排気部側に送り出すことができる。
【００１２】
また、上記搬送部を備えた回転体においては、回転体の周面のうち、複数の搬送部間の大きさを前記開口部を閉塞する大きさに設定すれば、例えば冷房運転停止時など、回転体が停止した状態のときでも回転体がドレン水合流用の開口部を閉塞する役目を果たし、逆流を防止することができる。
【００１３】
さらに、回転体の周面と、これを収容する合流ボックスの収容部内面との間隙を、前記排気部からの空気が逆流しない程度の寸法に設定すれば、排気部側から屋外や排気ファンの逆圧が加わっても回転体を通って室内側に空気が漏れることを防止することができる。
【００１４】
上記回転体は、ドレン水の水圧や室内ファンの風圧を利用しても回転させることができるが、前記回転体をモータなどの駆動源により回転駆動させれば、確実な回転を維持できる。この場合、回転体は、一方向回転、又は正転及び逆転の組合せにより駆動することも可能である。また、回転体の回転方向を一定時間毎に変更して駆動することもできる。
【００１５】
また、本発明においては、上記気液排出装置を空気調和機に組み込むことによって、熱交換器からのドレン水を排気用空気と共に排出することができる。すなわち、本発明においては、室内熱交換器と、該室内熱交換器に発生するドレン水と室内の排気用空気を共通の通路を介して排出する気液排出装置とを備えた空気調和機において、前記気液排出装置は、室内の排気用空気を室外に排出する専用のファンと、前記ドレン水を排出する回転体とを備えてなることを特徴とする空気調和機も提供することができる。
【００１６】
さらに、本発明においては、気液排出装置に、ドレン水等の液体を排出する回転体が設けられ、該回転体は、ドレン水等の液体を一時的に貯留しつつ搬送する手段が設けられたことを特徴とする空気調和機も提供することができる。また、このときの回転体は、その回転方向を一定時間毎に変更して駆動することもできる。
【００１７】
【発明の実施形態】
以下、本発明に係る空気調和機の実施形態について図面を参照して説明する。図１は本発明の実施形態である空気調和機の室内機において、前面パネルを取り外して主要部品を示す分解斜視図である。図１において、１は室内機、２は背面パネル、３は室内熱交換器、４は室内ファン、５は前面パネルや背面パネルに形成される吸込口、６は室内機１の下面に形成される吹出口、７はドレンパン、８は換気用排気ファン、９は合流ボックスである。
【００１８】
室内機１は、図示しない前面パネルと背面パネルとからユニットケースが構成され、室内の壁面に取付板（図示略）により取り付けられる。このユニットケース内には、室内空気を前面パネルや背面パネル上面の吸込口５から吸い込み、かつ吹出口６から吹き出すための室内ファン４と、室内空気と室外ユニット（図示略）から供給された冷媒との間で熱交換を行う室内熱交換器３と、室内熱交換器３に発生するドレン水を受け止めるドレンパン７とを備えている。
【００１９】
室内ファン４はクロスフローファンであり、室内熱交換器３の背面側に配置され、吸込口５から吸込んだ空気を室内熱交換器３を流れる冷媒との間で熱交換し、その空気をユニット下方の吹出口６から吹出すようにしている。
【００２０】
冷房運転時や除湿運転時に室内熱交換器３で発生するドレン水を受け止めるドレンパン７は、室内熱交換器３の下方に室内ファン４の回転軸の軸方向に長く形成され、その一側に配置された後述する排気路１０の合流ボックス９に連通接続されている。
【００２１】
図２は図１の室内ファンの一側の排気路に設けられた気液排出装置を背面側からみた斜視図、図３は合流ボックスのカバーを取り外した状態を示す斜視図、図４は図３の平面図である。図において、９は合流ボックス、１０は排気路、１１は排気ファンを覆うファンケース、１２は合流ボックス本体、１３は合流ボックスカバー、１４はカバー１３に設置された回転体駆動源であるモータ、１５はボックス本体に形成されたドレンパン側の貯水部、１６はボックス本体１２の回転体収容部、１７はボックス本体の排気路側にある排気部、１８は排気部の排気入口、１９は貯水部のドレン水入口、２０は排気部の出口、２１は貯水部からドレン水を排気部側に運搬する回転体である。
【００２２】
図２及び図３に示すように、排気用空気等の気体とドレン水等の液体とを共通の通路を介して排出する気液排出装置は以下のように構成される。すなわち、気液排出装置は、室内ファン４の回転軸の軸方向一側には、室内機１の前面側から吸込んだ、汚れた室内空気を室外へ排出するための排気路１０が設けられている。この排気路１０には、室内空気を室内機前面側から背面側に導く換気用排気ファン８と、ドレンパン７からのドレン水を排気路１０に合流させる機能を有する合流ボックス９とを備え、合流ボックス９の出口２０側は図示しない共用ダクトが接続され、室内壁に形成された貫通穴（図示略）を貫通して室外に連通している。
【００２３】
換気用排気ファン８は、図２に示すように、円筒状のファンケース１１に覆われて合流ボックス９の上方に配置され、室内機１の前面から吸込んだ空気を合流ボックス９の前面入口から換気用排気ファン８により排気部１７に導き、排気部１４からボックス出口２０に排出するものである。
【００２４】
合流ボックス９は、図３，４に示すように、合流ボックス本体１２と、その上面を覆う合流ボックスカバー１３と、合流ボックスカバー１３に設置された回転体駆動源としての駆動モータ１４とを備えている。合流ボックス本体１２は、排気ファン８で吸込んだ室内空気を円筒状の排気入口１８から共用出口２０に導く排気部１７と、ドレンパン７からのドレン水を貯水する貯水部１５と、ドレン水を貯水部１５から排気部１７に運搬する回転体収容部１６とを備えている。
【００２５】
貯水部１５は、直方箱型形状に形成され、その開放上面にドレン水入口１９が形成されている。回転体収容部１６は、貯水部１５と排気部１７との間に配置された有底円筒状のものであって、その貯水部１５との接続部に連通口２２が形成されると共に排気部１７との接続部に開口部２３が形成されている。排気部１７は、直方箱型形状に形成され、その前面側に円筒状の排気入口１８が開口形成され、背面側に円筒状の出口２０が開口形成されている。これら合流ボックス本体１２の上面は合流ボックスカバー１３で覆われている。
【００２６】
回転体収容部１６には、ドレン水を貯水部１５側から排気部１７側に運搬する回転体２１が回転自在に収容されている。この回転体２１は、略円柱状に形成され、その周面に外側に欠穴２４ａされた断面Ｃ字形の複数の搬送部２４が等間隔に凹設され、この搬送部２４がドレン水を一時的に貯留しつつ搬送する機能を有している。搬送部２４は、ドレン水の排出量と回転体２１の回転数とにより貯水容量と数が決定される。
【００２７】
回転体２１は、その回転位置のいずれにおいても、その周面が収容部１６の内周面と結合しない程度の間隙２５を有している。この間隙２５は前記排気部１７からの空気が逆流しない程度の寸法に設定されている。また、回転体２１の複数の欠穴２４ａ間の周面２１ａは、排気部１７との開口部２３を閉塞する程度の大きさに設定され、排気部１７からドレンパン７側への逆流を防止するようになっている。さらに、回転体２１は、肉盗みが施されて軽量化が図られ、その中心ボス部２１ｂにはモータ１４のモータ軸を止着する軸穴２１ｃが形成され、モータ１４により一方向に回転駆動される。
【００２８】
合流ボックスカバー１３は、合流ボックス本体１２の排気部１７、収容部１６及び貯水部１５の上面開口を閉塞させるためのもので、合流ボックス本体１２の上面開口周縁との間にシール用パッキンが装着されている。また、合流ボックスカバー１３の中央部には、駆動モータ１４のモータ軸が通る開口２６が形成されている。
【００２９】
次に、上記構成からなる空気調和機の動作を説明する。まず、空気調和機が冷房もしくは除湿運転すると、室内熱交換器３からドレン水がドレンパン７に流れ込み、合流ボックス９の合流ボックス本体１２の入口１９から貯水部１５に流れ込む。貯水部１５に溜まったドレン水は、連通口２２から回転体２１の周面搬送部２４に流れ込み、モータ１４の駆動により回転体２１が回転して、開口部２３の位置に回動されてきたときに、回転体２１の搬送部２４から欠穴２４ａを通って排気部１７に流れ、排気部１７から共用出口２０を通って室外に排出される。
【００３０】
冷房停止かつ排気運転時においては、換気用排気ファン８によって押し出された室内の空気は、合流ボックス９の入口１８、排気部１７、出口２０を通って室外に排出される。このとき、合流ボックス９の回転体２１は停止しているので、排気がボックス本体１２の収容部１６及び回転体２１に流れ込むことは無く、室内へ逆流することはない。
【００３１】
冷房運転かつ排気運転時においては、排気は前記排気のみ運転時と同様の流れによって室外に排出される。一方、ドレン水は冷房運転時と同様の流れによって、合流ボックス本体１２の開口部２３で排気と合流し、排気とドレン水は屋外に放出される。排気による排気圧や屋外からの逆風圧が加わっても、回転体２１の周面２１ａが開口部２３を閉塞する弁の役目を果たすので、合流ボックス９の収容部１６の内周面と回転体２１の周面との隙間２５より、排気が流れ込むことは無く、室内へ逆流することはない。また、ドレン水のみが回転体２１の搬送部２４から送り出されるので、排気とドレン水を一本のパイプで送り出すことができ、工事が従来と変わらない工法で行うことができる。
【００３２】
なお、本発明は、上記実施形態に限定されるものではなく、本発明の範囲内で修正・変更を加えることができるのは勿論である。例えば、上記実施形態では、気液排出装置を空気調和機に搭載した例を示したが、これに限らず、単独で又は他の機器に搭載する態様であってもよい。また、上記実施形態では、回転体の回転方向は一方向のみに設定しているが、搬送部によりドレン水を搬送できる限り、正転と逆転を繰り返す方式を採用してもよい。さらに、上記実施形態における回転体は、その回転方向を一定時間毎に変更して駆動するように構成してもよい。
【００３３】
【発明の効果】
以上の説明から明らかな通り、本発明によると、排気用空気等の気体の排気を行う専用のファンと、ドレン水等の液体を排出する回転体とを備えているので、従来のように、空気調和機の室内ファンと兼用のファンとする場合に比べて、排気の空気量が減少することなく、十分な換気を行うことができ、また、ドレン水等の液体を回転体により強制的に排出するので、屋外や専用の排気ファンから逆圧が加わっても室内側に空気が漏れることがない。
【００３４】
また、本発明によると、回転体にドレン水等の液体を一時的に貯留しつつ搬送する手段が設けられているので、ドレン水等の液体を確実に排気側に送り出すことができる。
【００３５】
さらに、本発明においては、排気用空気等の気体を排気する排気路の一部を構成する排気部と、ドレン水等の液体を前記排気部に合流させる開口部とを備えた合流ボックスが設けられ、該合流ボックスに前記回転体が設けられているので、排水ホースと排気ホースとを１本化させることができ、同じホース径に対して、壁穴を小さくでき、小さな壁穴条件でも設置が可能となり、工事性の向上が図れる。
【図面の簡単な説明】
【図１】本発明の実施形態である空気調和機の室内機において前面パネルを取り外して主要部品を示す分解斜視図
【図２】図１の気液排出装置を背面側からみた斜視図
【図３】図１の合流ボックスのカバーを取り外した状態を示す斜視図
【図４】図３の合流ボックスの平面図
【符号の説明】
１　　室内機
２　　背面パネル
３　　室内熱交換器
４　　室内ファン
５　　吸込口
６　　吹出口
７　　ドレンパン
８　　換気用排気ファン
９　　合流ボックス
１２　　ボックス本体
１３　　ボックスカバー
１４　　モータ
１５　　貯水部
１６　　回転体収容部
１７　　排気部
１８　　排気入口
１９　　ドレン水入口
２０　　共用出口
２１　　回転体
２２　　連通入口
２３　　開口部
２４　　搬送部
２４ａ　欠穴
２５　　間隙
【図１】
2004028467.tif 000003
【図２】
2004028467.tif 000004
【図３】
2004028467.tif 000005
【図４】
2004028467.tif 000006